(57)【要約】【課題】光を感光ドラムに円滑に導くことができながら、容易にメンテナンスできる画像形成装置を提供すること。【解決手段】  プリンタ１において、ドロワフレーム４０は、ガイド部４５を備える。ガイド部４５は、光源８０からの光をライトガイド３５に案内する案内位置と、案内位置よりも左方、すなわち、光源８０から離れる方向に退避する第１退避位置との間を移動するように構成される。そして、ドロワフレーム４０が内側位置に位置する状態において、ガイド部４５を案内位置に位置させることにより、ガイド部４５によって光源８０からの光をライトガイド３５に案内できる。また、ドロワフレーム４０を外側位置に位置させることにより、ガイド部４５を容易にメンテナンスできる。【選択図】図４
2016126082.tif 000002
【特許請求の範囲】
【請求項１】
光を発光するように構成される光源を備える装置本体と、
感光ドラムと、前記光源からの光を前記感光ドラムの表面に導くように構成され、前記感光ドラムに向かい合うように位置する導光部とを備えるプロセスカートリッジと、
前記装置本体内に位置する内側位置と、前記装置本体外に位置する外側位置との間を移動可能であり、前記プロセスカートリッジを着脱可能に支持するドロワフレームと、を備え、
前記ドロワフレームは、前記光源からの光を前記導光部に案内する案内位置と、前記案内位置よりも前記光源から離れる方向に退避する第１退避位置との間を移動するように構成されているガイド部を備えることを特徴とする、画像形成装置。
【請求項２】
前記ドロワフレームは、前記ガイド部が前記第１退避位置に位置するときに、前記ガイド部が前記案内位置に向かうように前記ガイド部を付勢する第１付勢部材をさらに備えることを特徴とする、請求項１に記載の画像形成装置。
【請求項３】
前記第１付勢部材は、引張ばねであることを特徴とする、請求項２に記載の画像形成装置。
【請求項４】
前記ガイド部は、前記第１付勢部材を係合させる第１係合部を備え、
前記ドロワフレームは、前記第１付勢部材を係合させる第２係合部を備えることを特徴とする、請求項３に記載の画像形成装置。
【請求項５】
前記ガイド部は、前記ドロワフレームが前記外側位置から前記内側位置に移動するときに、前記光源と接触する第１当接面を備え、
前記第１当接面は、前記ドロワフレームが前記内側位置に位置する状態において、前記感光ドラムの軸線方向における前記ドロワフレームの外側から内側に向かうにつれて、前記外側位置から前記内側位置に向かうように傾斜していることを特徴とする、請求項１ないし４のいずれか一項に記載の画像形成装置。
【請求項６】
前記ガイド部は、前記ドロワフレームが前記内側位置から前記外側位置に移動するときに、前記光源と接触する第２当接面を備え、
前記第２当接面は、前記ドロワフレームが前記内側位置に位置する状態において、前記感光ドラムの軸線方向における前記ドロワフレームの外側から内側に向かうにつれで、前記内側位置から前記外側位置に向かうように傾斜していることを特徴とする、請求項１ないし５のいずれか一項に記載の画像形成装置。
【請求項７】
前記ガイド部は、前記プロセスカートリッジが前記ドロワフレームに装着されるときに、前記プロセスカートリッジから離れる方向に退避する第２退避位置に移動するように構成されることを特徴とする、請求項１ないし６のいずれか一項に記載の画像形成装置。
【請求項８】
前記ドロワフレームは、前記ガイド部が前記第２退避位置に位置するときに、前記ガイド部が前記案内位置に向かうように前記ガイド部を付勢する第２付勢部材をさらに備えることを特徴とする、請求項７に記載の画像形成装置。
【請求項９】
前記第２付勢部材は、引張ばねであることを特徴とする、請求項８に記載の画像形成装置。
【請求項１０】
前記ガイド部は、前記第２付勢部材を係合させる第３係合部を備え、
前記ドロワフレームは、前記第２付勢部材を係合させる第４係合部を備えることを特徴とする、請求項９に記載の画像形成装置。
【請求項１１】
前記ガイド部は、前記プロセスカートリッジが前記ドロワフレームに装着されるときに、前記プロセスカートリッジと接触する第１接触面を備え、
前記第１接触面は、前記感光ドラムの軸線方向における前記ドロワフレームの外側から内側に向かうにつれて、前記ドロワフレームに対する前記プロセスカートリッジの装着方向の下流側へ向かうように傾斜していることを特徴とする、請求項７ないし１０のいずれか一項に記載の画像形成装置。
【請求項１２】
前記プロセスカートリッジは、前記プロセスカートリッジが前記ドロワフレームに装着されるときに、前記第１接触面と接触する第２接触面を備え、
前記第２接触面は、前記プロセスカートリッジが前記ドロワフレームに装着された状態において、前記軸線方向における前記ドロワフレームの外側から内側に向かうにつれて、前記装着方向の下流側へ向かうように傾斜していることを特徴とする、請求項１１に記載の画像形成装置。
【請求項１３】
前記ガイド部は、前記プロセスカートリッジが前記ドロワフレームから離脱されるときに、前記プロセスカートリッジと接触する第３接触面を備え、
前記第３接触面は、前記感光ドラムの軸線方向における前記ドロワフレームの外側から内側に向かうにつれて、前記ドロワフレームに対する前記プロセスカートリッジの離脱方向の下流側へ向かうように傾斜していることを特徴とする、請求項７ないし１２のいずれか一項に記載の画像形成装置。
【請求項１４】
前記プロセスカートリッジは、前記プロセスカートリッジが前記ドロワフレームから離脱されるときに、前記第３接触面と接触する第４接触面を備え、
前記第４接触面は、前記プロセスカートリッジが前記ドロワフレームに装着された状態において、前記軸線方向における前記ドロワフレームの外側から内側に向かうにつれて、前記離脱方向の下流側へ向かうように傾斜していることを特徴とする、請求項１３に記載の画像形成装置。
【請求項１５】
前記ガイド部は、前記感光ドラムの軸線方向に沿って前記案内位置と前記第２退避位置との間を移動するように構成されていることを特徴とする、請求項７ないし１４のいずれか一項に記載の画像形成装置。
【請求項１６】
前記ガイド部は、前記感光ドラムの軸線方向に沿って前記案内位置と前記第１退避位置との間を移動するように構成されていることを特徴とする、請求項１ないし１５のいずれか一項に記載の画像形成装置。
【請求項１７】
光を発光するように構成される光源を備える装置本体と、
現像剤を収容する現像カートリッジと、
前記現像カートリッジを着脱可能に支持するように構成され、前記装置本体内に位置する内側位置と、前記装置本体外に位置する外側位置との間を移動可能な感光体ユニットであって、感光ドラムと、前記光源からの光を前記感光ドラムの表面に導くように構成され、前記感光ドラムに向かい合うように位置する導光部とを備える感光体ユニットと、を備え、
前記感光体ユニットは、前記光源からの光を前記導光部に案内する案内位置と、前記案内位置よりも前記光源から離れる方向に退避する退避位置との間を移動するように構成されているガイド部を備えることを特徴とする、画像形成装置。
【請求項１８】
前記感光体ユニットは、前記ガイド部を、前記案内位置に向かって付勢する付勢部材をさらに備えることを特徴とする、請求項１７に記載の画像形成装置。
【請求項１９】
前記付勢部材は、コイルばねであり、
前記導光部は、前記コイルばねの内側に挿通されていることを特徴とする、請求項１８に記載の画像形成装置。
【請求項２０】
前記装置本体は、前記感光体ユニットを通過させるための開口部を開放する開位置と、前記開口部を閉鎖する閉位置との間を移動するように構成される構成されるカバーを備え、
前記ガイド部は、前記カバーが閉位置から開位置へ移動するときに、前記案内位置から前記退避位置に移動し、前記カバーが開位置から閉位置へ移動するときに、前記退避位置から前記案内位置に移動することを特徴とする、請求項１７ないし１９のいずれか一項に記載の画像形成装置。
【請求項２１】
前記ガイド部は、前記感光体ユニットが前記内側位置に位置し、かつ、当該ガイド部が前記案内位置に位置する状態において、前記光源の前記導光部側端部と、前記導光部の前記光源側端部と、前記光源と前記導光部との間の光路と、を覆っていることを特徴とする、請求項１７ないし２０のいずれか一項に記載の画像形成装置。
【請求項２２】
前記ガイド部は、前記感光ドラムの軸線方向に沿って前記案内位置と前記退避位置との間を移動するように構成されていることを特徴とする、請求項１７ないし２１のいずれか一項に記載の画像形成装置。
【請求項２３】
前記光源は、前記装置本体に固定されていることを特徴とする、請求項１ないし２２のいずれか一項に記載の画像形成装置。
【発明の詳細な説明】
【技術分野】
【０００１】
本発明は、電子写真方式が採用される画像形成装置に関する。
【背景技術】
【０００２】
従来より、電子写真方式が採用される画像形成装置として、感光体ドラムと、感光体ドラムに光を照射して感光ドラム表面の電荷を除電する光除電装置とを備える画像形成装置が知られている。
【０００３】
このような画像形成装置の光除電装置として、画像形成装置の装置筐体に着脱可能なプロセスカートリッジに備えられ、感光体ドラムに向き合うように配置されるライドガイドと、装置筐体に備えられ、ライトガイドに光を供給するランプユニットとを備える光除電装置が知られている（例えば、特許文献１参照）。
【０００４】
この光除電装置において、ランプユニットは、ＬＥＤと、ＬＥＤが固定収容されるランプハウジングとを備える。また、ランプユニットは、プロセスユニットの装置筐体への装着方向と直交する方向に進退可能に構成される。そして、プロセスユニットが装置筐体に装着されるときに、ランプユニットは、ライトガイドに当接する。すると、ランプユニットは、一旦ライトガイドから離れるように退避した後に、ライトガイドに近づくように進出する。これにより、ランプハウジングがライトガイドの端部を覆うように係合し、ライトガイドとＬＥＤとの位置決めが達成される。
【先行技術文献】
【特許文献】
【０００５】
【特許文献１】特開２００６−２７６５２９号公報
【発明の概要】
【発明が解決しようとする課題】
【０００６】
しかるに、上記特許文献１に記載の光除電装置では、ランプハウジングは、装置筐体に備えられる。そのため、ユーザがランプハウジングを視認しにくく、ランプハウジングが汚れている場合でも、ランプハウジングの汚れに気づきにくいという不具合がある。そして、ランプハウジングが汚れた状態のままだと、光除電装置において円滑に除電できない場合がある。
【０００７】
そこで、本発明の目的は、光を感光ドラムに円滑に導くことができながら、容易にメンテナンスできる画像形成装置を提供することにある。
【課題を解決するための手段】
【０００８】
（１）本発明の画像形成装置は、光を発光するように構成される光源を備える装置本体と、感光ドラムと、光源からの光を感光ドラムの表面に導くように構成され、感光ドラムに向かい合うように位置する導光部とを備えるプロセスカートリッジと、装置本体内に位置する内側位置と、装置本体外に位置する外側位置との間を移動可能であり、プロセスカートリッジを着脱可能に支持するドロワフレームと、を備える。ドロワフレームは、光源からの光を導光部に案内する案内位置と、案内位置よりも光源から離れる方向に退避する第１退避位置との間を移動するように構成されているガイド部を備える。
【０００９】
このような構成によれば、ドロワフレームが内側位置に位置する状態において、ガイド部を案内位置に位置させれば、ガイド部によって光源からの光を導光部に案内できる。
【００１０】
そのため、導光部から感光ドラムに光を円滑に導くことができる。
【００１１】
また、ガイド部を第１退避位置に位置させれば、ガイド部がドロワフレームにおける内側位置と外側位置との間の移動の妨げとなることを抑制できる。
【００１２】
そして、ドロワフレームがガイド部を備えるので、ドロワフレームを外側位置に位置させたときに、ガイド部を容易に視認できる。
【００１３】
そのため、ガイド部の汚れの有無を容易に確認できる。また、ガイド部が汚れている場合には、ガイド部を容易に清掃できる。すなわち、ガイド部を容易にメンテナンスできる。
（２）また、ドロワフレームは、ガイド部が第１退避位置に位置するときに、ガイド部が案内位置に向かうようにガイド部を付勢する第１付勢部材をさらに備えてもよい。
【００１４】
このような構成によれば、ガイド部が第１退避位置に位置するときには、第１付勢部材によって、ガイド部に対して、常には、第１退避位置から案内位置に向かう付勢力を付与できる。
【００１５】
そのため、第１付勢部材によって、ガイド部を第１退避位置から案内位置に円滑に向かわせることができる。
（３）また、第１付勢部材は、引張ばねであってもよい。
【００１６】
このような構成によれば、簡易な構成で、ガイド部を第１退避位置から案内位置に向かわせることができる。
（４）また、ガイド部は、第１付勢部材を係合させる第１係合部を備えてもよい。ドロワフレームは、第１付勢部材を係合させる第２係合部を備えてもよい。
【００１７】
このような構成によれば、第１付勢部材を、第１係合部と第２係合部とに係合させることで、第１付勢部材をガイド部とドロワフレームとの間に安定的に介在させることができる。
（５）また、ガイド部は、ドロワフレームが外側位置から内側位置に移動するときに、光源と接触する第１当接面を備えてもよい。第１当接面は、ドロワフレームが内側位置に位置する状態において、感光ドラムの軸線方向におけるドロワフレームの外側から内側に向かうにつれて、外側位置から内側位置に向かうように傾斜していてもよい。  
【００１８】
このような構成によれば、ドロワフレームが外側位置から内側位置に移動するときに、光源が第１当接面に接触すると、ガイド部が、感光ドラムの軸線方向におけるドロワフレームの外側から内側に向かって円滑に移動する。
【００１９】
そのため、ドロワフレームが外側位置から内側位置に移動するときに、ガイド部を第１退避位置に向かって円滑に移動させることができる。
（６）また、ガイド部は、ドロワフレームが内側位置から外側位置に移動するときに、光源と接触する第２当接面を備えてもよい。第２当接面は、ドロワフレームが内側位置に位置する状態において、感光ドラムの軸線方向におけるドロワフレームの外側から内側に向かうにつれで、内側位置から外側位置に向かうように傾斜していてもよい。
【００２０】
このような構成によれば、ドロワフレームが内側位置から外側位置に移動するときに、光源が第２当接面に接触すると、ガイド部が、感光ドラムの軸線方向におけるドロワフレームの外側から内側に向かって円滑に移動する。
【００２１】
そのため、ドロワフレームが内側位置から外側位置に移動するときに、ガイド部を第１退避位置に向かって円滑に移動させることができる。
（７）また、ガイド部は、プロセスカートリッジがドロワフレームに装着されるときに、プロセスカートリッジから離れる方向に退避する第２退避位置に移動するように構成されてもよい。
【００２２】
このような構成によれば、ガイド部を第２退避位置に位置させれば、プロセスカートリッジがドロワフレームに装着されるときに、ガイド部がプロセスカートリッジの装着の妨げとなることを抑制できる。
（８）また、ドロワフレームは、ガイド部が第２退避位置に位置するときに、ガイド部が案内位置に向かうようにガイド部を付勢する第２付勢部材をさらに備えてもよい。
【００２３】
このような構成によれば、ガイド部が第２退避位置に位置するときには、第２付勢部材によって、ガイド部に対して、常には、第２退避位置から案内位置に向かう付勢力を付与できる。
【００２４】
そのため、第２付勢部材によって、ガイド部を第２退避位置から案内位置に円滑に向かわせることができる。
（９）また、第２付勢部材は、引張ばねであってもよい。
【００２５】
このような構成によれば、簡易な構成で、ガイド部を第２退避位置から案内位置に向かわせることができる。
（１０）また、ガイド部は、第２付勢部材を係合させる第３係合部を備えてもよい。ドロワフレームは、第２付勢部材を係合させる第４係合部を備えてもよい。
【００２６】
このような構成によれば、第２付勢部材を、第３係合部と第４係合部とに係合させることで、第２付勢部材をガイド部とドロワフレームとの間に安定的に介在させることができる。
（１１）また、ガイド部は、プロセスカートリッジがドロワフレームに装着されるときに、プロセスカートリッジと接触する第１接触面を備えてもよい。第１接触面は、感光ドラムの軸線方向におけるドロワフレームの外側から内側に向かうにつれて、ドロワフレームに対するプロセスカートリッジの装着方向の下流側へ向かうように傾斜していてもよい。
【００２７】
このような構成によれば、プロセスカートリッジがドロワフレームに装着されるときに、プロセスカートリッジが第１接触面に接触すると、ガイド部が、感光ドラムの軸線方向におけるドロワフレームの内側から外側に向かって円滑に移動する。
【００２８】
そのため、プロセスカートリッジがドロワフレームに装着されるときに、ガイド部を第２退避位置に向かって円滑に移動させることができる。
（１２）また、プロセスカートリッジは、プロセスカートリッジがドロワフレームに装着されるときに、第１接触面と接触する第２接触面を備えてもよい。第２接触面は、プロセスカートリッジがドロワフレームに装着された状態において、軸線方向におけるドロワフレームの外側から内側に向かうにつれて、装着方向の下流側へ向かうように傾斜していてもよい。
【００２９】
このような構成によれば、プロセスカートリッジがドロワフレームに装着されるときに、第１接触面と第２接触面とを円滑に接触させることができる。
【００３０】
その結果、プロセスカートリッジがドロワフレームに装着されるときに、ガイド部を第２退避位置に向かって一層円滑に移動させることができる。
（１３）また、ガイド部は、プロセスカートリッジがドロワフレームから離脱されるときに、プロセスカートリッジと接触する第３接触面を備えてもよい。第３接触面は、感光ドラムの軸線方向におけるドロワフレームの外側から内側に向かうにつれて、ドロワフレームに対するプロセスカートリッジの離脱方向の下流側へ向かうように傾斜していてもよい。
【００３１】
このような構成によれば、プロセスカートリッジがドロワフレームに離脱されるときに、プロセスカートリッジが第３接触面に接触すると、ガイド部が、感光ドラムの軸線方向におけるドロワフレームの内側から外側に向かって円滑に移動する。
【００３２】
そのため、プロセスカートリッジがドロワフレームに離脱されるときに、ガイド部を第２退避位置に向かって円滑に移動させることができる。
（１４）また、プロセスカートリッジは、プロセスカートリッジがドロワフレームから離脱されるときに、第３接触面と接触する第４接触面を備えてもよい。第４接触面は、プロセスカートリッジがドロワフレームに装着された状態において、軸線方向におけるドロワフレームの外側から内側に向かうにつれて、離脱方向の下流側へ向かうように傾斜していてもよい。
【００３３】
このような構成によれば、プロセスカートリッジがドロワフレームに離脱されるときに、第３接触面と第４接触面とを円滑に接触させることができる。
【００３４】
その結果、プロセスカートリッジがドロワフレームに離脱されるときに、ガイド部を第２退避位置に向かって一層円滑に移動させることができる。
（１５）また、ガイド部は、感光ドラムの軸線方向に沿って案内位置と第２退避位置との間を移動するように構成されていてもよい。
【００３５】
このような構成によれば、ガイド部を、案内位置と第２退避位置との間で確実に移動させることができる。
（１６）また、ガイド部は、感光ドラムの軸線方向に沿って案内位置と第１退避位置との間を移動するように構成されていてもよい。
【００３６】
このような構成によれば、ガイド部を、案内位置と第１退避位置との間で確実に移動させることができる。
（１７）また、光を発光するように構成される光源を備える装置本体と、現像剤を収容する現像カートリッジと、現像カートリッジを着脱可能に支持するように構成され、装置本体内に位置する内側位置と、装置本体外に位置する外側位置との間を移動可能な感光体ユニットであって、感光ドラムと、光源からの光を感光ドラムの表面に導くように構成され、感光ドラムに向かい合うように位置する導光部とを備える感光体ユニットと、を備えている。感光体ユニットは、光源からの光を導光部に案内する案内位置と、案内位置よりも光源から離れる方向に退避する退避位置との間を移動するように構成されるガイド部を備えてもよい。
【００３７】
このような構成によれば、ドロワフレームが内側位置に位置する状態において、ガイド部を案内位置に位置させれば、ガイド部によって光源からの光を導光部に案内できる。
【００３８】
そのため、導光部からの光を感光ドラムに円滑に導くことができる。
【００３９】
また、ガイド部を退避位置に位置させれば、ガイド部がドロワフレームにおける内側位置と外側位置との間の移動の妨げとなることを抑制できる。
【００４０】
そして、ドロワフレームがガイド部を備えるので、ドロワフレームを外側位置に位置させたときに、ガイド部を容易に視認できる。
【００４１】
そのため、ガイド部の汚れの有無を容易に確認できる。また、ガイド部が汚れている場合には、ガイド部を容易に清掃できる。すなわち、ガイド部を容易にメンテナンスできる。
（１８）また、感光体ユニットは、ガイド部を、案内位置に向かって付勢する付勢部材をさらに備えてもよい。
【００４２】
このような構成によれば、付勢部材によって、ガイド部を案内位置に円滑に向かわせることができる。
（１９）また、付勢部材は、コイルばねであってもよい。導光部は、コイルばねの内側に挿通されていてもよい。
【００４３】
このような構成によれば、簡易な構成で、ガイド部を案内位置に向かわせることができる。
【００４４】
また、画像形成装置における省スペース化が図れる。
（２０）また、装置本体は、感光体ユニットを通過させるための開口部を開放する開位置と、開口部を閉鎖する閉位置との間を移動するように構成される構成されるカバーを備えてもよい。ガイド部は、カバーが閉位置から開位置へ移動するときに、案内位置から退避位置に移動し、カバーが開位置から閉位置へ移動するときに、退避位置から案内位置に移動してもよい。
【００４５】
このような構成によれば、カバーの開閉動作に合わせて、ガイド部を案内位置と退避位置との間で移動させることができる。
（２１）また、ガイド部は、感光体ユニットが内側位置に位置し、かつ、ガイド部が案内位置に位置する状態において、光源の導光部側端部と、導光部の光源側端部と、光源と導光部との間の光路と、を覆っていてもよい。
【００４６】
このような構成によれば、ガイド部によって光が漏れることを抑制できる。
（２２）また、ガイド部は、感光ドラムの軸線方向に沿って案内位置と退避位置との間を移動するように構成されていてもよい。
【００４７】
このような構成によれば、ガイド部を、案内位置と退避位置との間で確実に移動させることができる。
（２３）また、光源は、装置本体に固定されていてもよい。
【００４８】
このような構成によれば、光源からの光を安定的に感光ドラムに導くことができる。
【発明の効果】
【００４９】
本発明の画像形成装置では、光を感光ドラムに円滑に導くことができながら、容易にメンテナンスできる。
【図面の簡単な説明】
【００５０】
【図１】図１は、本発明の第１実施形態であるプリンタを示す中央断面図である。
【図２】図２Ａは、図１に示すプリンタのドロワフレームの平面図である。図２Ｂは、図２Ａに示すガイド部のＡ−Ａ断面図である。
【図３】図３Ａは、図２Ａに示すドロワフレームの右方部分の正断面図であって、プロセスカートリッジがドロワフレームに装着される前であって、ガイド部の中央部が右側板の挿通穴の内側に配置される状態を示す。図３Ｂは、図２Ａに示すドロワフレームの右方部分の正断面図であって、プロセスカートリッジがドロワフレームに装着される途中であって、ガイド部が第２退避位置に配置される状態を示す。図３Ｃは、図２Ａに示すドロワフレームの右方部分の正断面図であって、プロセスカートリッジがドロワフレームに装着され、ガイド部の中央部が右側板の挿通穴の内側に配置される状態を示す。
【図４】図４Ａは、図２Ａに示すドロワフレームの右方部分の平面図であって、光源とガイド部とが離間しており、ガイド部の中央部が右側板の挿通穴の内側に配置される状態を示す。図４Ｂは、図２Ａに示すドロワフレームの右方部分の平面図であって、光源とガイド部とが接触しており、ガイド部が第１退避位置に配置される状態を示す。図４Ｃは、図２Ａに示すドロワフレームの右方部分の平面図であって、ガイド部の中央部が右側板の挿通穴の内側に配置される状態を示す。
【図５】図５Ａは、本発明の第２実施形態であるプリンタにおけるドロワフレームを示す平面図である。図５Ｂは、図５Ａに示すドロワフレームの右側面図である。
【図６】図６Ａは、図５Ａに示すドロワフレームの右方部分のＢ−Ｂ断面図であって、ガイド部が案内位置に配置されている状態を示す。図６Ｂは、図５Ａに示すドロワフレームの右方部分のＢ−Ｂ断面図であって、ガイド部が第１退避位置に配置されている状態を示す。
【発明を実施するための形態】
【００５１】
１．プリンタの全体構成
図１に示すように、画像形成装置の一例としてのプリンタ１は、横置きタイプのダイレクトタンデム型カラーレーザプリンタである。プリンタ１は、装置本体の一例としての本体ケーシング２と、用紙Ｐを給紙するための給紙部３と、スキャナユニット１１と、ドロワフレーム４０と、４個のプロセスカートリッジ１７と、転写ユニット１３と、定着ユニット１４と、４個の光源８０と、画像が形成された用紙Ｐを排紙するための排紙部５とを備えている。
【００５２】
なお、以下の説明において、プリンタ１の方向に言及するときには、プリンタ１を水平に載置した状態を上下の基準とする。すなわち、図１の紙面上方が上方であり、紙面下方が下方である。また、図１の紙面右方が前方であり、図１の紙面左方が後方である。また、プリンタ１を前方から見たときを左右の基準とする。すなわち、図１の紙面手前が左方であり、紙面奥が右方である。また、左右方向が軸線方向の一例であり、上方から下方に向かう方向が装着方向の一例であり、下方から上方に向かう方向が離脱方向の一例である。
【００５３】
本体ケーシング２は、側面視略矩形状のボックス形状を有している。本体ケーシング２は、本体開口部６を有する前壁と、フロントカバー７とを備えている。フロントカバー７は、その下端部を支点として、本体開口部６を閉鎖する実線で示す閉位置と、本体開口部６を開放する仮想線で示す開位置とに揺動可能である。
【００５４】
給紙部３は、用紙Ｐを収容する給紙トレイ８を備えている。給紙トレイ８は、本体ケーシング２内の底部に着脱自在に装着されている。
【００５５】
スキャナユニット１１は、本体ケーシング２内の上方部に配置されている。スキャナユニット１１は、後述する、複数、すなわち４個の感光ドラム１８のそれぞれに向けて、画像データに基づいて、レーザビームをそれぞれ出射するように構成されている。
【００５６】
ドロワフレーム４０は、本体ケーシング２内の上下方向略中央であって、スキャナユニット１１の下方に配置されている。ドロワフレーム４０は、平面視略矩形の有底枠形状を有している。ドロワフレーム４０は、本体ケーシング２に対して、本体ケーシング２内に位置する実線で示す内側位置と、本体ケーシング２外に位置する仮想線で示す外側位置との間を前後方向に沿ってスライド移動可能に構成されている。ドロワフレーム４０は、本体ケーシング２に支持されている。
【００５７】
複数のプロセスカートリッジ１７のそれぞれは、ドロワフレーム４０が外側位置にあるときに、前後方向に互いに間隔を隔てて並ぶようにドロワフレーム４０に対して離脱可能に構成されている。たとえば、複数のプロセスカートリッジ１７は、前方から後方に向けて、ブラックプロセスカートリッジ１７Ｋ、イエロープロセスカートリッジ１７Ｙ、マゼンタプロセスカートリッジ１７Ｍ、シアンプロセスカートリッジ１７Ｃを備えている。
【００５８】
複数のプロセスカートリッジ１７のそれぞれは、プロセスフレーム３６と、感光ドラム１８と、帯電ローラ１９と、現像ローラ２０と、供給ローラ２１と、層厚規制ブレード２２と、導光部の一例としてのライトガイド３５とを備えている。
【００５９】
プロセスフレーム３６は、左右方向に延び、下方が開放された略ボックス形状を有している。
【００６０】
感光ドラム１８は、左右方向に延びる略円筒形状を有しており、プロセスフレーム３６内の下端部において、その一部がプロセスフレーム３６から下方に露出するように、プロセスフレーム３６に回転可能に支持されている。なお、感光ドラム１８の下端部は、プロセスカートリッジ１７がドロワフレーム４０に装着された状態で、ドロワフレーム４０の底板４４が有する図示しない開口を介して露出している。
【００６１】
ライトガイド３５は、感光ドラム１８の後方に間隔を隔てて配置されるように、プロセスフレーム３６に支持されている。ライトガイド３５は、左右方向に延びている。すなわち、ライトガイド３５は、感光ドラム１８に向き合うように配置されている。ライトガイド３５は、光源８０からの光を感光ドラム１８の表面に導いて、感光ドラム１８を除電するように構成されている。ライトガイド３５は、例えば、無色透明のアクリル樹脂からなり、左右方向に延びる略円筒形状を有している。
【００６２】
また、複数のプロセスカートリッジ１７のそれぞれは、その内部に各色に対応する現像剤の一例としてのトナーを収容している。
【００６３】
転写ユニット１３は、本体ケーシング２内において、給紙部３の上方、かつ、ドロワフレーム４０の下方に配置されている。転写ユニット１３は、駆動ローラ２３および従動ローラ２４の間に掛け渡されている搬送ベルト２５と、複数の感光ドラム１８のそれぞれとともに搬送ベルト２５の上方部分を挟むように配置される複数、すなわち４個の転写ローラ２６とを備えている。
【００６４】
定着ユニット１４は、転写ユニット１３の後方に配置されている。定着ユニット１４は、加熱ローラ２７と、加熱ローラ２７の後下方に並ぶように配置される加圧ローラ２８とを備えている。
【００６５】
排紙部５は、排紙ガイド２９と、排紙トレイ３２とを備えている。
【００６６】
図２Ａに示すように、４つの光源８０のそれぞれは、本体ケーシング２の右端部に固定されている。複数の光源８０は、前後方向に互いに等間隔を隔てて配置されている。複数の光源８０のそれぞれは、例えば、ＬＥＤライトを備えており、左方に向かって光を発光するように構成されている。なお、この光源は、感光ドラムの感光層が励起する光の波長を有する光源であればよく、例えば、電球や有機ＥＬなどであってもよい。
【００６７】
そして、図１に示すように、プリンタ１において画像形成動作が開始されると、感光ドラム１８の表面は、感光ドラム１８の回転に伴って、帯電ローラ１９により一様に正帯電された後、スキャナユニット１１からのレーザビームの高速走査により露光される。これにより、画像データに対応した静電潜像が感光ドラム１８の表面に形成される。
【００６８】
また、プロセスカートリッジ１７内のトナーは、供給ローラ２１に供給され、さらに、現像ローラ２０に供給され、供給ローラ２１と現像ローラ２０との間で正極性に摩耗帯電される。
【００６９】
現像ローラ２０に供給されたトナーは、現像ローラ２０の回転に伴って、層厚規制ブレード２２によって厚さが規制され、一定厚さの薄層として現像ローラ２０の表面に担持される。
【００７０】
現像ローラ２０の表面に担持され、かつ、正帯電されているトナーは、感光ドラム１８がさらに回転すると、感光ドラム１８の表面に形成されている静電潜像に供給される。これにより、感光ドラム１８の表面には、反転現像によるトナー像が担持される。
【００７１】
給紙トレイ８に収容されている用紙Ｐは、１枚ごとに捌かれ、所定のタイミングで、感光ドラム１８と、搬送ベルト２５との間に向けて搬送される。
【００７２】
次いで、用紙Ｐは、搬送ベルト２５によって、前方から後方に向かって、感光ドラム１８のそれぞれと転写ローラ２６のそれぞれとの間の転写位置を順次通過するように搬送される。各感光ドラム１８に担持されている各色のトナー像は、用紙Ｐの搬送中に、用紙Ｐに順次転写される。
【００７３】
さらに、用紙Ｐは、加熱ローラ２７と加圧ローラ２８との間を通過する間に、加熱および加圧され、これにより、用紙Ｐ上のトナー像は、用紙Ｐに熱定着される。
【００７４】
定着ユニット１４においてトナー像が熱定着された用紙Ｐは、排紙ガイド２９にガイドされて、排紙トレイ３２上に排紙される。
【００７５】
その後、ライトガイド３５から感光ドラム１８の表面に光が導かれ、これにより、感光ドラム１８の周面に残存する電荷が除去される。
２．ドロワフレームの詳細 
図２Ａおよび図２Ｂに示すように、ドロワフレーム４０は、フレーム本体４８と、ガイドユニット４９とを備えている。
【００７６】
フレーム本体４８は、左側板４１と、右側板４２と、複数、すなわち５個のビーム板４３と、底板４４とを備えている。
【００７７】
左側板４１は、側面視略矩形の板形状を有しており、前後方向に延びている。
【００７８】
右側板４２は、側面視略矩形の板形状を有し、前後方向に延びている。右側板４２は、左側板４１の右方に間隔を隔てて配置されている。右側板４２は、複数、すなわち、４個の挿通穴５０と、複数、すなわち４個の第４係合部の一例としての外側壁係合部５１と、複数、すなわち、４個の第２係合部の一例としての内側壁係合部５２とを備えている。
【００７９】
複数の挿通穴５０のそれぞれは、側面視略円形状を有しており、右側板４２を左右方向に貫通している。複数の挿通穴５０は、前後方向に互いに等間隔を隔てて配置されている。
【００８０】
複数の外側壁係合部５１のそれぞれは、正面視略Ｌ字状の棒形状を有しており、右側板４２の右面から右方に突出した後、上方に向かって突出している。複数の外側壁係合部５１のそれぞれは、複数の挿通穴５０のそれぞれの上方に配置されている。
【００８１】
複数の内側壁係合部５２のそれぞれは、側面視略Ｌ字状の棒形状を有しており、右側板４２の左面から左方に突出した後、上方に向かって突出している。複数の内側壁係合部５２のそれぞれは、複数の挿通穴５０のそれぞれの上方に配置されており、かつ、右側板４２を挟んで、複数の外側壁係合部５１のそれぞれの反対側に配置されている。
【００８２】
複数のビーム板４３のそれぞれは、左右方向に延びる正面視略矩形状の板形状を有しており、左側板４１と右側板４２との間に架設されている。複数のビーム板４３は、前後方向に互いに等間隔を隔てて配置されている。詳しくは、最前方に配置されるビーム板４３は、左側板４１の前端部と右側板４２の前端部との間に架設されており、最後方に配置されるビーム板４３は、左側板４１の後端部と右側板４２の後端部との間に架設されている。そして、３個のビーム板４３がこれらの間に配置されている。
【００８３】
底板４４は、平面視略矩形の板形状を有しており、左側板４１の下端部と、右側板４２の下端部と、複数のビーム板４３のそれぞれの下端部との間に架設されている。
【００８４】
これにより、ドロワフレーム４０では、左側板４１と、右側板４２と、複数のビーム板４３のそれぞれと、底板４４とにより、複数、すなわち４個の収容空間５３が画定されている。
【００８５】
複数の収容空間５３のそれぞれは、左右方向に延びており、前後方向にビーム板４３を隔てて配置されている。複数の収容空間５３のそれぞれには、複数の挿通穴５０のそれぞれが臨んでいる。
【００８６】
複数のガイドユニット４９のそれぞれは、複数の収容空間５３のそれぞれに１つずつ対応しており、ドロワフレーム４０の右側板４２に配置されている。複数のガイドユニット４９のそれぞれは、ガイド部４５と、第２付勢部材の一例としての外側ばね４６と、第１付勢部材の一例としての内側ばね４７とを備えている。
【００８７】
ガイド部４５は、筒状部６０と、第３係合部の一例としての外側ガイド係合部６５と、第１係合部の一例としての内側ガイド係合部６６とを備えている。
【００８８】
筒状部６０は、左右方向に延びる略円筒形状を有している。筒状部６０の外径は、右側板４２の挿通穴５０の直径よりもわずかに小さい。筒状部６０は、第１傾斜面６１と、第２傾斜面６２と、第３傾斜面６３と、第４傾斜面６４とを備えている。
【００８９】
第１傾斜面６１は、筒状部６０の右端部の外周面であって、左方から右方に向かうにつれて、小径となるように傾斜している。つまり、第１傾斜面６１は、右方から左方に向かうにつれて、換言すれば、左右方向において、ドロワフレーム４０の外側から内側に向かうにつれて、筒状部６０の径方向外方に向かうように傾斜している。そして、図４Ａに示すように、第１当接面の一例としての、第１傾斜面６１の後面６１Ａは、右方から左方に向かうにつれて、前方から後方に向かうように傾斜している。また、第１傾斜面６１の前面６１Ｂは、右方から左方に向かうにつれて、後方から前方に向かうように傾斜している。
【００９０】
図２Ｂに示すように、第２傾斜面６２は、筒状部６０の右端部の内周面であって、左方から右方に向かうにつれて、大径となるように傾斜している。つまり、第２傾斜面６２は、右方から左方に向かうにつれて、換言すれば、左右方向において、ドロワフレーム４０の外側から内側に向かうにつれて、筒状部６０の径方向内方に向かうように傾斜している。そして、図４Ａに示すように、第２当接面の一例としての、第２傾斜面６２の後面６２Ａは、右方から左方に向かうにつれて、後方から前方に向かうように傾斜している。また、第２傾斜面６２の前面６２Ｂは、右方から左方に向かうにつれて、前方から後方に向かうように傾斜している。
【００９１】
図２Ｂに示すように、第３傾斜面６３は、筒状部６０の左端部の外周面であって、右方から左方に向かうにつれて小径となるように傾斜している。つまり、第３傾斜面６３は、右方から左方に向かうにつれて、換言すれば、左右方向において、ドロワフレーム４０の外側から内側に向かうにつれて、筒状部６０の径方向内方に向かうように傾斜している。そして、第１接触面の一例としての、第３傾斜面６３の上面６３Ａは、右方から左方に向かうにつれて、上方から下方に向かうように傾斜している。また、第３接触面の一例としての第３傾斜面６３の下面６３Ｂは、右方から左方に向かうにつれて、下方から上方に向かうように傾斜している。
【００９２】
第４傾斜面６４は、筒状部６０の左端部の内周面であって、右方から左方に向かうにつれて大径となるように傾斜している。つまり、第４傾斜面６４は、右方から左方に向かうにつれて、換言すれば、左右方向において、ドロワフレーム４０の外側から内側に向かうにつれて、筒状部６０の径方向外方に向かうように傾斜している。そして、第４傾斜面６４の上面６４Ａは、右方から左方に向かうにつれて、下方から上方に向かうように傾斜している。
【００９３】
外側ガイド係合部６５は、第１傾斜面６１よりも左方、かつ、右側板４２よりも右方に配置されている。外側ガイド係合部６５は、正面視略Ｌ字状の棒形状を有しており、筒状部６０の上面から上方に向かって突出した後、右方に向かって突出している。
【００９４】
内側ガイド係合部６６は、第３傾斜面６３よりも右方、かつ、右側板４２よりも左方に配置されている。内側ガイド係合部６６は、正面視略Ｌ字状の棒形状を有しており、筒状部６０の左方部分の上面から上方に向かって突出した後、左方に向かって突出している。
【００９５】
そして、複数の筒状部６０のそれぞれは、右側板４２における複数の挿通穴５０のそれぞれに挿通されている。この状態において、外側ガイド係合部６５は、右側板４２の外側壁係合部５１の右下方に配置されている。また、内側ガイド係合部６６は、右側板４２の内側壁係合部５２の左下方に配置されている。
【００９６】
複数の外側ばね４６のそれぞれは、引張ばねであって、その一端が右側板４２における複数の外側壁係合部５１のそれぞれに係合され、その他端が複数のガイド部４５のそれぞれの外側ガイド係合部６５に係合されている。
【００９７】
複数の内側ばね４７のそれぞれは、引張ばねであって、その一端が右側板４２における複数の内側壁係合部５２のそれぞれに係合され、その他端が複数のガイド部４５のそれぞれの内側ガイド係合部６６に係合されている。
３．プロセスカートリッジの詳細
図１および図３Ａに示すように、プロセスフレーム３６は、左右方向に延びる略ボックス形状を有しており、その後下端部において、上記したライトガイド３５を支持している。また、プロセスフレーム３６は、貫通穴７３と、凹部７０と、第２接触面の一例としてのフレーム傾斜面７１とを有している。
【００９８】
貫通穴７３は、プロセスフレーム３６の右壁における後下端部に配置されている。貫通穴７３は、側面視略円形状を有しており、プロセスフレーム３６の右壁を貫通している。貫通穴７３の直径は、ライトガイド３５の外径と略同じである。
【００９９】
凹部７０は、プロセスフレーム３６の右壁の右面に配置されており、左右方向から見たときに、貫通穴７３と重なっている。
【０１００】
凹部７０は、貫通穴７３よりも大径な側面視略円形状を有しており、プロセスフレーム３６の右壁から左方に向かって凹んでいる。凹部７０の内径は、筒状部６０の外径よりも大きい。凹部７０は、貫通穴７３と軸線が一致しており、貫通穴７３と連通している。
【０１０１】
凹部傾斜面７２は、凹部７０の右端部であって、左方から右方に向かうにつれて、凹部７０の径方向外方に向かうように傾斜している。換言すれば、凹部傾斜面７２は、プロセスカートリッジ１７がドロワフレーム４０に装着された状態において、左右方向におけるドロワフレーム４０の内側から外側に向かうにつれて、凹部７０の径方向外方に向かうように傾斜している。そして、第４接触面の一例としての、凹部傾斜面７２の下面７２Ａは、左方から右方に向かうにつれて、上方から下方に向かうように傾斜している。
【０１０２】
フレーム傾斜面７１は、プロセスフレーム３６右壁の右面であって、凹部傾斜面７２の下面７２Ａよりも下方に間隔を隔てて配置されている。フレーム傾斜面７１は、右方から左方に向かうにつれて、上方から下方に向かうように傾斜している。なお、凹部傾斜面７２の下面７２Ａの右端部と、フレーム傾斜面７１の右端部とは、上下方向に延びる摺擦面７４により接続されている。
【０１０３】
ライトガイド３５の右端は、貫通穴７３を介して、凹部７０内に配置されている。ライトガイド３５の外径は、筒状部６０の内径と略同じである。
４．ドロワフレームに対するプロセスカートリッジの着脱時におけるガイド部の動作
ドロワフレーム４０にプロセスカートリッジ１７を装着する場合は、複数のプロセスカートリッジ１７のそれぞれは、外側位置にあるドロワフレーム４０の複数の収容空間５３のそれぞれに、上方から下方に移動されることによって装着される。
【０１０４】
このとき、具体的には、図３Ａに示すように、プロセスフレーム３６のフレーム傾斜面７１は、ガイド部４５の第３傾斜面６３の上面６３Ａに上方から近づく。また、ガイド部４５は、その中央部が右側板４２の挿通穴５０の内側に配置されている。
【０１０５】
次いで、図３Ｂに示すように、プロセスカートリッジ１７がさらに下方に移動すると、プロセスカートリッジ１７のプロセスフレーム３６のフレーム傾斜面７１は、ガイド部４５の第３傾斜面６３の上面６３Ａに当接し、ガイド部４５の第３傾斜面６３の上面６３Ａを下方に向かって押圧する。
【０１０６】
すると、ガイド部４５は、第３傾斜面６３の上面６３Ａを、プロセスフレーム３６のフレーム傾斜面７１に摺擦させながら、外側ばね４６の付勢力に抗して、右方に移動する。
【０１０７】
その後、フレーム傾斜面７１が第３傾斜面６３の上面６３Ａよりも下方に到達すると、摺擦面７４が筒状部６０の左端部と当接する。
【０１０８】
この状態、すなわち、ガイド部４５が、その中央部が右側板４２の挿通穴５０の内側に配置される状態から右方に移動した状態におけるガイド部４５の位置が、第２退避位置である。ガイド部４５は、第２退避位置に位置する状態において、その中央部が右側板４２の挿通穴５０よりも右方に配置されており、外側ばね４６によって、左方に向かう付勢力が付与されている。
【０１０９】
その後、図３Ｃに示すように、プロセスカートリッジ１７がさらに下方に移動すると、摺擦面７４が筒状部６０の左端部から離れ、凹部７０が筒状部６０と左右方向に向き合う。
【０１１０】
すると、ガイド部４５は、外側ばね４６の付勢力により、第３傾斜面６３の下面６３Ｂを、プロセスカートリッジ１７の凹部傾斜面７２の下面７２Ａに摺擦させながら、左方に移動する。
【０１１１】
そして、プロセスカートリッジ１７がさらに下方に移動すると、ガイド部４５は、プロセスカートリッジ１７の凹部傾斜面７２から離間して、外側ばね４６の付勢力により、その中央部が右側板４２の挿通穴５０の内側に配置される位置に戻る。
【０１１２】
このとき、ガイド部４５の左端部は、プロセスカートリッジ１７の凹部７０の内方に配置されており、ライトガイド３５の右端部の右方に配置されている。また、左右方向から見たときに、ライトガイド３５と筒状部６０の内部空間とは略一致している。
【０１１３】
一方、図１に示すように、ドロワフレーム４０からプロセスカートリッジ１７を離脱させる場合は、複数のプロセスカートリッジ１７のそれぞれは、外側位置にあるドロワフレーム４０から、下方から上方に向かって引き上げられる。
【０１１４】
このとき、具体的には、図３Ｃに示すように、プロセスカートリッジ１７の凹部傾斜面７２の下面７２Ａは、ガイド部４５の第３傾斜面６３の下面６３Ｂに下方から近づく。
【０１１５】
そして、プロセスカートリッジ１７がさらに上方に移動すると、プロセスカートリッジ１７の凹部傾斜面７２の下面７２Ａは、ガイド部４５の第３傾斜面６３の下面６３Ｂを上方に向かって押圧する。
【０１１６】
すると、ガイド部４５は、第３傾斜面６３の下面６３Ｂを、プロセスカートリッジ１７の凹部傾斜面７２の下面７２Ａに摺擦させながら、外側ばね４６の付勢力に抗して、右方に移動する。そして、筒状部６０の左端部が、プロセスカートリッジ１７の摺擦面７４に当接する。これにより、ガイド部４５は、図３Ｂに示すように、第２退避位置に配置される。
【０１１７】
次いで、プロセスカートリッジ１７がさらに上方に移動すると、プロセスカートリッジ１７の摺擦面７４が、内側ガイド係合部６６の左端部から離間する。
【０１１８】
すると、ガイド部４５は、外側ばね４６の付勢力により、第３傾斜面６３の上面６３Ａを、プロセスカートリッジ１７のフレーム傾斜面７１に摺擦させながら、左方に移動する。
【０１１９】
その後、プロセスカートリッジ１７がさらに上方に移動すると、図３Ａに示すように、ガイド部４５は、プロセスカートリッジ１７のフレーム傾斜面７１から離間して、外側ばね４６の付勢力により、その中央部が右側板４２の挿通穴５０の内側に配置される位置に戻る。
５．装置本体に対するドロワフレームの移動時におけるガイド部の動作
図１に示すように、プロセスカートリッジ１７は、上記したように、外側位置にあるドロワフレーム４０に装着される。
【０１２０】
このとき、図３Ｃに示すように、ガイド部４５は、その中央部が右側板４２の挿通穴５０の内側に配置される位置に配置されており、かつ、ライトガイドの右方に配置されている。
【０１２１】
そして、ドロワフレーム４０は、外側位置から後方に向かって移動される。
【０１２２】
すると、複数のガイド部４５のそれぞれは、本体ケーシング２の複数の光源８０のそれぞれに当接する。
【０１２３】
このとき、具体的には、図４Ａに示すように、ガイド部４５の第１傾斜面６１の後面６１Ａは、光源８０に前方から近づく。
【０１２４】
そして、図４Ｂに示すように、ドロワフレーム４０がさらに後方に移動されると、ガイド部４５の第１傾斜面６１の後面６１Ａは、光源８０に対して前方から後方に向かって当接する。
【０１２５】
すると、ガイド部４５は、第１傾斜面６１の後面６１Ａを、光源８０に摺擦させながら、内側ばね４７の付勢力に抗して、左方に移動する。そして、第１傾斜面６１の後面６１Ａが、光源８０から離間し、筒状部６０の右端面が、光源８０に当接する。
【０１２６】
この状態、すなわち、ガイド部４５が、その中央部が右側板４２の挿通穴５０の内側に配置される位置から左方に移動した状態におけるガイド部４５の位置が、第１退避位置である。ガイド部４５は、第１退避位置に位置する状態において、その中央部が右側板４２の挿通穴５０よりも左方に配置されており、内側ばね４７によって、右方、すなわち、その中央部が右側板４２の挿通穴５０の内側に配置される位置に向かう付勢力が付与されている。
【０１２７】
そして、ドロワフレーム４０がさらに後方に移動されると、ガイド部４５は、内側ばね４７の付勢力により、第２傾斜面６２の後面６２Ａを、光源８０に摺擦させながら、右方に移動する。
【０１２８】
次いで、図２Ａに示すドロワフレーム４０がさらに後方に移動されると、ガイド部４５の第２傾斜面６２は、光源８０から離間する。そして、図４Ｃに示すように、ガイド部４５は、内側ばね４７の付勢力により、その中央部が右側板４２の挿通穴５０の内側に配置される位置に配置される。
【０１２９】
このとき、ガイド部４５の右端部は、光源８０の左端部を覆っている。
【０１３０】
この状態、すなわち、ガイド部４５の中に光源８０が入ったガイド部４５の位置が、案内位置である。
【０１３１】
この状態において、図２Ａに示すように、光源８０からガイド部４５に向けて光が発光される。そして、ガイド部４５は、光源８０からライトガイド３５に向かう光路を覆っており、光源８０からの光をガイド部４５に案内している。
【０１３２】
一方、図１に示すように、ドロワフレーム４０が外側位置に配置される場合には、フロントカバー７は、開位置に配置される。そして、ドロワフレーム４０は、前方に向かって移動される。
【０１３３】
このとき、具体的には、図４Ｃに示すように、ガイド部４５の第２傾斜面６２の後面６２Ａは、光源８０に後方から近づく。
【０１３４】
そして、図２Ａに示すドロワフレーム４０がさらに前方に移動すると、第２傾斜面６２の後面６２Ａは、光源８０に対して後方から前方に向かって当接する。
【０１３５】
すると、ガイド部４５は、第２傾斜面６２の後面６２Ａを、光源８０に摺擦させながら、内側ばね外側ばね４６の付勢力に抗して、左方に移動する。そして、図４Ｂに示すように、筒状部６０の右端面が、光源８０の左端面に当接する。そして、ガイド部４５は、第１退避位置に配置される。
【０１３６】
次いで、ドロワフレーム４０がさらに前方に移動すると、筒状部６０の左端面が、光源８０から離間する。そして、ガイド部４５は、内側ばね４７の付勢力により、第１傾斜面６１の後面６１Ａを、光源８０に摺擦させながら、右方に移動する。
【０１３７】
その後、ドロワフレーム４０がさらに前方に移動すると、ガイド部４５の第１傾斜面６１は、光源８０から離間する。そして、図４Ａに示すように、ガイド部４５は、内側ばね４７の付勢力により、ガイド部４５の中央部が右側板４２の挿通穴５０の内側に配置される位置に配置される。
６．作用効果
（１）このプリンタ１によれば、図４Ｂに示すように、ドロワフレーム４０は、ガイド部４５を備えている。そして、ガイド部４５は、光源８０からの光をライトガイド３５に案内する案内位置と、案内位置よりも光源８０から左方に離れる方向に退避する第１退避位置との間を移動する。
【０１３８】
そのため、ドロワフレーム４０が内側位置に位置する状態において、ガイド部４５を案内位置に位置させることにより、ガイド部４５によって光源８０からの光をライトガイド３５に案内できる。
【０１３９】
その結果、ライトガイド３５から感光ドラム１８に光を円滑に導くことができる。
【０１４０】
また、ガイド部４５を第１退避位置に配置すれば、ガイド部４５がドロワフレーム４０における内側位置と外側位置との間の移動の妨げとなることを抑制できる。
【０１４１】
そして、ドロワフレーム４０がガイド部４５を備えるので、ドロワフレーム４０を外側位置に位置させたときに、ガイド部４５を容易に視認できる。
【０１４２】
そのため、ガイド部４５の汚れの有無を容易に確認できる。また、ガイド部４５が汚れている場合には、ガイド部４５を容易に清掃できる。すなわち、ガイド部４５を容易にメンテナンスできる。
（２）また、このプリンタ１によれば、図４Ｂに示すように、ドロワフレーム４０は、内側ばね４７を備えている。内側ばね４７は、ガイド部４５が第１退避位置に位置するときに、ガイド部４５が案内位置に向かうようにガイド部４５を付勢する。
【０１４３】
そのため、ガイド部４５が第１退避位置に配置されるときには、内側ばね４７によって、ガイド部４５に対して、常には、第１退避位置から案内位置に向かう付勢力を付与できる。
【０１４４】
そのため、内側ばね４７によって、ガイド部４５を第１退避位置から案内位置に円滑に向かわせることができる。
（３）また、このプリンタ１によれば、図４Ａに示すように、内側ばね４７は、引張ばねである。
【０１４５】
そのため、簡易な構成で、ガイド部４５を第１退避位置から案内位置に向かわせることができる。
（４）また、このプリンタ１によれば、図４Ａに示すように、内側ばね４７は、その一端が右側板４２における内側壁係合部５２に係合され、その他端が内側ガイド係合部６６に係合されている。
【０１４６】
そのため、内側ばね４７をガイド部４５とドロワフレーム４０との間に安定的に介在させることができる。
（５）また、このプリンタ１によれば、図４Ｂに示すように、ガイド部４５の第１傾斜面６１の後面６１Ａは、右方から左方に向かうにつれて、前方から後方に向かうように傾斜している。
【０１４７】
そのため、ドロワフレーム４０が外側位置から内側位置に移動するときに、光源８０が第１傾斜面６１の後面６１Ａに当接すると、ガイド部４５が、左方に向かって円滑に移動する。
【０１４８】
そのため、ドロワフレーム４０が外側位置から内側位置に移動するときに、ガイド部４５を第１退避位置に向かって円滑に移動させることができる。
（６）また、このプリンタ１によれば、図４Ｂに示すように、ガイド部４５の第２傾斜面６２の後面６２Ａは、右方から左方に向かうにつれて、後方から前方に向かうように傾斜している。
【０１４９】
そのため、ドロワフレーム４０が内側位置から外側位置に移動するときに、光源８０が第２傾斜面６２の後面６２Ａに接触すると、ガイド部４５が、左方に向かって円滑に移動する。
【０１５０】
そのため、ドロワフレーム４０が内側位置から外側位置に移動するときに、ガイド部４５を第１退避位置に向かって円滑に移動させることができる。
（７）また、このプリンタ１によれば、図３Ｂに示すように、ガイド部４５は、プロセスカートリッジ１７がドロワフレーム４０に装着されるときに、第２退避位置に移動する。
【０１５１】
そのため、プロセスカートリッジ１７がドロワフレーム４０に装着されるときに、ガイド部４５がプロセスカートリッジ１７の装着の妨げとなることを抑制できる。
（８）また、このプリンタ１によれば、図３Ｂに示すように、ドロワフレーム４０は、外側ばね４６を備えている。外側ばね４６は、ガイド部４５が第２退避位置に位置するときに、ガイド部４５が案内位置に向かうようにガイド部４５を付勢する。
【０１５２】
そのため、ガイド部４５が第２退避位置に配置されるときには、外側ばね４６によって、ガイド部４５に対して、常には、第２退避位置から案内位置に向かう付勢力を付与できる。  
【０１５３】
そのため、外側ばね４６によって、ガイド部４５を第２退避位置から案内位置に円滑に向かわせることができる。
（９）また、このプリンタ１によれば、図３Ｂに示すように、外側ばね４６は、引張ばねである。
【０１５４】
そのため、簡易な構成で、ガイド部４５を第２退避位置から案内位置に向かわせることができる。
（１０）また、このプリンタ１によれば、図３Ａに示すように、外側ばね４６は、その一端が右側板４２の外側壁係合部５１に係合され、その他端がガイド部４５の外側ガイド係合部６５に係合されている。
【０１５５】
そのため、外側ばね４６をガイド部４５とドロワフレーム４０との間に安定的に介在させることができる。
（１１）また、このプリンタ１によれば、図３Ｂに示すように、ガイド部４５の第３傾斜面６３の上面６３Ａは、右方から左方に向かうにつれて、上方から下方に向かうように傾斜している。
【０１５６】
そのため、プロセスカートリッジ１７がドロワフレーム４０に装着されるときに、プロセスカートリッジ１７が第３傾斜面６３の上面６３Ａに当接すると、ガイド部４５が、右方に向かって円滑に移動する。
【０１５７】
そのため、プロセスカートリッジ１７がドロワフレーム４０に装着されるときに、ガイド部４５を第２退避位置に向かって円滑に移動させることができる。
（１２）また、このプリンタ１によれば、図３Ｂに示すように、フレーム傾斜面７１は、プロセスフレーム３６の右下端面であって、右方から左方に向かうにつれて、下方に向かうように傾斜している。
【０１５８】
そのため、プロセスカートリッジ１７がドロワフレーム４０に装着されるときに、プロセスカートリッジ１７のフレーム傾斜面７１と、ガイド部４５の第３傾斜面６３の上面６３Ａとを円滑に当接させることができる。
【０１５９】
その結果、プロセスカートリッジ１７がドロワフレーム４０に装着されるときに、ガイド部４５を第２退避位置に向かって一層円滑に移動させることができる。
（１３）また、このプリンタ１によれば、図４Ｂに示すように、ガイド部４５の第３傾斜面６３の上面６３Ａは、右方から左方に向かうにつれて、下方から上方に向かうように傾斜している。
【０１６０】
そのため、プロセスカートリッジ１７がドロワフレーム４０から離脱されるときに、プロセスカートリッジ１７が第３傾斜面６３の上面６３Ａに当接すると、ガイド部４５が、右方に向かって円滑に移動する。
【０１６１】
そのため、プロセスカートリッジ１７がドロワフレーム４０から離脱されるときに、ガイド部４５を第２退避位置に向かって円滑に移動させることができる。
（１４）また、このプリンタ１によれば、図４Ｂに示すように、凹部傾斜面７２の下面７２Ａは、右方から左方に向かうにつれて、上方から下方に向かうように傾斜している。
【０１６２】
そのため、プロセスカートリッジ１７がドロワフレーム４０から離脱されるときに、プロセスカートリッジ１７の凹部傾斜面７２の下面７２Ａと、ガイド部４５の第３傾斜面６３の上面６３Ａとを円滑に当接させることができる。
【０１６３】
その結果、プロセスカートリッジ１７がドロワフレーム４０から離脱されるときに、ガイド部４５を第２退避位置に向かって一層円滑に移動させることができる。
（１５）また、このプリンタ１によれば、図３Ｂに示すように、ガイド部４５は、左右方向に沿って、案内位置と第２退避位置との間を移動する。
【０１６４】
そのため、ガイド部４５を、案内位置と第２退避位置との間で確実に移動させることができる。  
（１６）また、このプリンタ１によれば、図４Ｂに示すように、ガイド部４５は、左右方向に沿って、案内位置と第１退避位置との間を移動する。
【０１６５】
そのため、ガイド部４５を、案内位置と第１退避位置との間で確実に移動させることができる。
（１７）また、このプリンタ１によれば、図２Ａに示すように、光源８０は、本体ケーシング２に固定される。
【０１６６】
そのため、光源８０からの光を安定的に感光ドラム１８に導くことができる。
【０１６７】
上記実施形態では、外側ばね４６および内側ばね４７は、引張ばねであったが、例えば、弾性のあるゴムであってもよい。
７．第２実施形態
図５Ａ〜図６Ｂを参照して、プリンタの第２実施形態を説明する。なお、以下において、上記第１実施形態と同様の部材には同様の符号を付し、その説明を省略する。
（１）第２実施形態
（１−１）第２実施形態のドロワフレームの詳細
上記した第１実施形態では、感光ドラム１８およびライトガイド３５は、ドロワフレーム４０に着脱されるプロセスカートリッジ１７に備えられる。すなわち、感光ドラム１８およびライトガイド３５は、ドロワフレーム４０に対して相対移動するように構成されている。
【０１６８】
対して、第２実施形態では、図５Ａおよび図５Ｂに示すように、感光ドラム１８およびライトガイド３５は、ドロワフレーム１４０に備えられている。
【０１６９】
具体的には、第２実施形態では、図５Ｂに示すように、感光ドラム１８は、ドロワフレーム１４０に回転可能に支持されている。そして、ライトガイド３５は、感光ドラム１８に対応して、図５Ａに示すように、ドロワフレーム１４０に支持されている。
【０１７０】
なお、第２実施形態では、ドロワフレーム４０には、内部に現像を収容し、現像ローラ２０を備える現像カートリッジ１０６が、離脱可能に装着されている。また、第２実施形態では、ドロワフレーム１４０は、感光体ユニットの一例である。
【０１７１】
ドロワフレーム１４０は、図６Ａに示すように、複数、すなわち、４個の支持部１１０を備えている。
【０１７２】
複数の支持部１１０のそれぞれは、対応する感光ドラム１８の後方に配置されている。支持部１１０は、前方に向かって開放される側面視略Ｃ字状を有しており、左右方向に延びている。複数の支持部１１０のそれぞれは、ドロワフレーム１４０に取り付けられている。複数の支持部１１０のそれぞれの右端部は、右側板１４２の左端面に当接している。具体的には、複数の支持部１１０のそれぞれの右端部は、右側板１４２における挿通穴５０の縁部を覆うように、右側板１４２に当接している。支持部１１０の内周面は、右側内周面１１１と、中央内周面１１２と、段部１１３とを有している。
【０１７３】
右側内周面１１１は、支持部１１０の右端部の内周面である。右側内周面１１１は、右側板１４２の挿通穴５０に臨んでおり、挿通穴５０と左右方向において連通している。右側内周面１１１の内径は、挿通穴５０の内径と略同じである。
【０１７４】
中央内周面１１２は、右側内周面１１１よりも左方に配置されている。中央内周面１１２の内径は、右側内周面１１１の内径よりも小さい。
【０１７５】
段部１１３は、右側内周面１１１と中央内周面１１２との間に配置されている。段部１１３は、右側内周面１１１と中央内周面１１２とに連続している。具体的には、段部１１３は、右側内周面１１１の左端部から径方向内方に向かって延びており、中央内周面１１２の右端部に連続している。
【０１７６】
複数の支持部１１０のそれぞれは、その内方にライトガイド３５を収容するようにして、ライトガイド３５を支持している。すなわち、ライトガイド３５は、支持部１１０を介してドロワフレーム１４０に支持されている。ライトガイド３５の右端部は、右側板１４２よりも左方であって、右側内周面１１１の内方に配置されている。
【０１７７】
また、ガイドユニット１４９は、ガイド部１４５と、付勢部材の一例としての支持ばね１１５とを備えている。
【０１７８】
第２実施形態において、ガイド部１４５は、図２Ｂに示す第３傾斜面６３および第４傾斜面６４を備えておらず、ガイド部１４５の左端縁は左右方向と直交する方向に延びている。
【０１７９】
そして、ガイド部１４５は、右側板１４２の挿通穴５０に挿通されている。また、ガイド部１４５の左端部は、支持部１１０の段部１１３に対して、右方に間隔隔てて配置されており、かつ、支持部１１０の右側内周面１１１の内方に配置されており、ライトガイド３５の右端部を覆っている。
【０１８０】
支持ばね１１５は、ガイド部１４５の左端縁と、支持部１１０の段部１１３との間には、支持ばね１１５が配置されている。支持ばね１１５は、左右方向に延びるコイルばねであって、金属からなる。支持ばね１１５は、その右端縁がガイド部１４５の左端縁に当接し、その左端縁が支持部１１０の段部１１３に当接しており、圧縮状態で、ガイド部１４５と支持部１１０との間に介在している。ライトガイド３５の右端部は、支持ばね１１５の内側に挿通されている。
【０１８１】
これにより、ガイド部１４５は、常には、支持ばね１１５によって、右方に向かう付勢力が付与されている。なお、ガイド部１４５は、図示しないストッパにより、案内位置よりも右方に向かう移動が規制されている。
【０１８２】
また、図１に示す本体ケーシング２は、図５Ａおよび図５Ｂに示すように、連動部材１３０を備えている。
【０１８３】
連動部材１３０は、ドロワフレーム１４０が内側位置に配置された状態において、ドロワフレーム１４０の右方に間隔を隔てて配置されている。連動部材１３０は、カム部材１００と、連動ばね１２０とを備えている。
【０１８４】
カム部材１００は、前後方向に延びており、押圧部１０１と、当接部１０２とを備えている。
【０１８５】
押圧部１０１は、枠状部１０５と、複数、すなわち、４個の押圧カム１０３とを備えている。
【０１８６】
枠状部１０５は、前後方向に延びる側面視略矩形枠形状を有している。枠状部１０５の内側には、複数の光源８０の左端部が配置されている。
【０１８７】
複数の押圧カム１０３は、複数のガイド部１４５に対応しており、前後方向に互いに等間隔を隔てて配置されている。複数の押圧カム１０３のそれぞれは、平面視略台形状を有しており、枠状部１０５から左方に突出している。複数の押圧カム１０３のそれぞれは、傾斜面１０４と、連続面１０７とを有している。
【０１８８】
傾斜面１０４は、押圧カム１０３の前面および後面であって、右方から左方に向かうにつれて、前後方向の内方に向かうように傾斜している。具体的には、傾斜面１０４の前面１０４Ａは、右方から左方に向かうにつれて、後方に向かうように傾斜している。また、傾斜面１０４の後面１０４Ｂは、右方から左方に向かうにつれて、前方に向かうように傾斜している。
【０１８９】
連続面１０７は、傾斜面１０４の前面１０４Ａの左端部と、傾斜面１０４の後面１０４Ｂの左端部とに連続しており、前後方向に沿っている。
【０１９０】
当接部１０２は、前後方向に延びる側面視略矩形状を有しており、枠状部１０５の前端部から前方に延びている。当接部１０２の上下方向寸法は、枠状部１０５の上下方向寸法よりも小さい。
【０１９１】
連動ばね１２０は、カム部材１００の後方に配置されている。連動ばね１２０は、前後方向に延びるコイルばねであって、その前端がカム部材１００の押圧部１０１の後端に当接しており、その後端が本体ケーシング２の壁部に当接している。そして、連動ばね１２０は、圧縮状態で、カム部材１００と本体ケーシング２との間に介在している。
【０１９２】
これにより、カム部材１００は、常には、連動ばね１２０によって、前方に向かう付勢力が付与されている。
【０１９３】
ドロワフレーム１４０が内側位置に配置されている状態、かつ、フロントカバー７が閉位置に配置されている状態では、カム部材１００は、当接部１０２の前端がフロントカバー７の後面に当接することにより、連動ばね１２０の付勢力に抗して、後方に退避している。このとき、複数の押圧カム１０３のそれぞれは、対応するガイド部１４５に対して後方に配置されている。そのため、複数のガイド部１４５のそれぞれは、図６Ａに示すように、支持ばね１１２の付勢力により、案内位置に配置されている。
【０１９４】
この状態において、ガイド部１４５の左端部は、ライトガイド３５の右端部を覆っており、ガイド部１４５の右端部は、光源８０の左端部を覆っており、ガイド部１４５の中央部は、光源８０からガイド部１４５に向かう光路を覆っている。  
【０１９５】
そして、フロントカバー７が開位置に配置されると、カム部材１００の前端がフロントカバー７から離間し、カム部材１００は、連動ばね１２０の付勢力によって前方に移動する。
【０１９６】
すると、カム部材１００の傾斜面１０４の前面１０４Ａが、ガイド部１４５の第１傾斜面６１の後面６１Ａに対して後方から前方に向かって当接する。
【０１９７】
すると、ガイド部１４５は、第１傾斜面６１の後面６１Ａが、カム部材１００の傾斜面１０４の前面１０４Ａに摺擦されることにより、支持ばね１１５の付勢力に抗して、左方に移動する。その後、図６Ｂに示すように、押圧カム１０３の連続面１０７が、ガイド部１４５の右端部に到達する。
【０１９８】
これにより、ガイド部１４５が退避位置に配置される。  
【０１９９】
一方、図５Ａおよび図５Ｂに示すように、フロントカバー７が開位置から閉位置に配置されると、フロントカバー７がカム部材１００の前端に当接し、カム部材１００は、連動ばね１２０の付勢力に抗して後方に移動する。
【０２００】
すると、図６Ｂに示すように、押圧カム１０３の連続面１０７が、ガイド部１４５の右端部から離間し、傾斜面１０４の前面１０４Ａが、ガイド部１４５の第１傾斜面６１の後面６１Ａと摺擦する。
【０２０１】
そして、ガイド部１４５は、第１傾斜面６１の後面６１Ａに摺擦することにより、支持ばね１１５の付勢力によって右方に移動する。そして、図６Ａに示すように、ガイド部１４５は、案内位置に配置される。
（１−２）第２実施形態の作用効果
第２実施形態のプリンタによれば、第１実施形態と同様の作用効果を得ることができる。
【０２０２】
また、第２実施形態のプリンタによれば、図６Ａに示すように、ドロワフレーム１４０は、支持ばね１１５を備える。支持ばね１１５は、ガイド部１４５を、案内位置に向かって付勢する。
【０２０３】
そのため、支持ばね１１５によって、ガイド部１４５を案内位置に円滑に向かわせることができる。
【０２０４】
また、第２実施形態のプリンタによれば、図６Ａに示すように、支持ばね１１５は、コイルばねである。
【０２０５】
そのため、簡易な構成で、ガイド部１４５を案内位置に向かわせることができる。
【０２０６】
また、第２実施形態のプリンタによれば、図６Ａに示すように、ガイド部１４５は、フロントカバー７が閉位置から開位置へ移動するときに、案内位置から退避位置に移動し、フロントカバー７が開位置から閉位置へ移動するときに、退避位置から案内位置に移動する。
【０２０７】
そのため、フロントカバー７の開閉動作に合わせて、ガイド部１４５を案内位置と退避位置との間で移動させることができる。
【０２０８】
その結果、光源８０が他の部材との接触を繰り返すことを抑制できる。
【０２０９】
また、第２実施形態のプリンタによれば、図６Ａに示すように、ドロワフレーム１４０が内側位置に配置され、かつ、ガイド部１４５が案内位置に配置される状態において、ガイド部１４５の左端部は、ライトガイド３５の右端部を覆っており、ガイド部１４５の右端部は、光源８０の左端部を覆っており、ガイド部１４５の中央部は、光源８０からガイド部１４５に向かう光路を覆っている。  
【０２１０】
そのため、ガイド部１４５によって光源８０からの光が漏れることを抑制できる。
【０２１１】
また、ライトガイド３５は、支持ばね１１５の内側に挿通されている。
【０２１２】
そのため、プリンタにおける省スペース化が図れるとともに、支持ばね１１５によって、ライトガイド３５に導入された光が外部に漏れることを抑制できる。
【０２１３】
また、第２実施形態のプリンタによれば、図６Ｂに示すように、ガイド部１４５は、左右方向に沿って案内位置と退避位置との間を移動する。
【０２１４】
そのため、ガイド部１４５を、案内位置と退避位置との間で確実に移動させることができる。
【０２１５】
上記実施形態では、支持ばね１１５は、コイルばねであったが、例えば圧縮ばねや板ばねであってもよい。
【符号の説明】
【０２１６】
１      プリンタ
２      本体ケーシング
６      本体開口部
７      フロントカバー
１７    プロセスカートリッジ
１８    感光ドラム
２０    現像ローラ
３５    ライトガイド
４０    ドロワフレーム
４５    ガイド部
４６    外側ばね
４７    内側ばね
５１    外側壁係合部
５２    内側壁係合部
６１Ａ  後面
６２Ａ  後面
６３Ａ  上面
６５    外側ガイド係合部
６６    内側ガイド係合部
７１    フレーム傾斜面
７２Ａ  下面
８０    光源
９２    外側弾性部材
９３    内側弾性部材
１１５  支持ばね
１４０  ドロワフレーム
１４５  ガイド部
【図１】
2016126082.tif 000003
【図２】
2016126082.tif 000004
【図３】
2016126082.tif 000005
【図４】
2016126082.tif 000006
【図５】
2016126082.tif 000007
【図６】
2016126082.tif 000008